【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
発呼端末とバック・ツー・バック・ユーザー・エージェントを有するデュアル・チャネル式無線装置との間のデータ・チャネル上で制御情報を通信するステップと、
前記制御情報を用いて前記発呼端末と前記デュアル・チャネル式無線装置の間でセッションを確立するステップと、
前記セッション中に、前記発呼端末と前記デュアル・チャネル式無線装置との間の音声チャネル上で音声情報を通信するステップと、
を含むことを特徴とする方法。
【請求項２】
統合通信サーバーにより、前記セッションを確立するための要求を前記発呼端末から受け取るステップと、
前記セッションが確立されたという応答を前記統合通信サーバーから前記発呼端末へ送信するステップと、
を含むことを特徴とする請求項１に記載の方法。
【請求項３】
第１のダイアログを確立するための第１の要求を統合通信サーバーから、前記デュアル・チャネル式無線装置向けのユーザー・エージェント・サーバーへ前記データ・チャネル上で送信するステップと、
前記統合通信サーバーにより、前記第１のダイアログが確立されたという第１の応答を前記ユーザー・エージェント・サーバーから前記データ・チャネル上で受け取るステップと、
を含むことを特徴とする請求項１に記載の方法。
【請求項４】
前記デュアル・チャネル式無線装置向けのユーザー・エージェント・サーバーにより、第１のダイアログを確立するための第１の要求を統合通信サーバーから前記データ・チャネル上で受け取るステップと、
前記第１のダイアログが確立されたという第１の応答を前記ユーザー・エージェント・サーバーから前記統合通信サーバーへ前記データ・チャネル上で送信するステップと、
を含むことを特徴とする請求項１に記載の方法。
【請求項５】
第２のダイアログを確立するための第２の要求を前記デュアル・チャネル式無線装置向けのユーザー・エージェント・クライアントから統合通信サーバーへ前記データ・チャネル上で送信するステップと、
前記ユーザー・エージェント・クライアントにより、前記第２のダイアログが確立されたという第２の応答を前記統合通信サーバーから前記データ・チャネル上で受け取るステップと、
を含むことを特徴とする請求項１に記載の方法。
【請求項６】
前記デュアル・チャネル式無線装置向けのユーザー・エージェント・クライアントにより、セッション記述オファーを統合通信サーバーから前記データ・チャネル上で受け取るステップと、
セッション記述アンサーを前記ユーザー・エージェント・クライアントから前記統合通信サーバーへ前記データ・チャネル上で送信するステップと、
を含むことを特徴とする請求項１に記載の方法。
【請求項７】
ダイアログを確立するための第１の要求を前記デュアル・チャネル式無線装置向けのユーザー・エージェント・クライアントから統合通信サーバーへ送信するステップと、
前記ユーザー・エージェント・クライアントにより、前記ダイアログが確立されたという第１の応答を前記統合通信サーバーから受け取るステップと、
を含むことを特徴とする請求項１に記載の方法。
【請求項８】
前記セッションを確立するための第２の要求を前記デュアル・チャネル式無線装置向けのユーザー・エージェント・クライアントから統合通信サーバーへ送信するステップと、
前記ユーザー・エージェント・クライアントにより、前記セッションが確立されたという第２の応答を前記統合通信サーバーから受け取るステップと、
を含むことを特徴とする請求項１に記載の方法。
【請求項９】
実行された場合にシステムが、
発呼端末とユーザー・エージェント・クライアントおよびユーザー・エージェント・サーバーを有するデュアル・チャネル式無線装置との間のデータ・チャネル上で制御情報を通信し、
前記制御情報を用いて前記発呼端末と前記デュアル・チャネル式無線装置の間でセッションを確立し、
前記セッション中に、前記発呼端末と前記デュアル・チャネル式無線装置との間の音声チャネル上で音声情報を通信する
ことを可能とする命令を含む記憶媒体を備えることを特徴とする製品。
【請求項１０】
実行された場合に前記システムが、
セッション開始プロトコル・サーバーにより、前記セッションを確立するための要求を前記発呼端末から受け取り、
前記セッションが確立されたという応答を前記セッション開始プロトコル・サーバーから前記発呼端末へ送信する
ことを可能とする命令をさらに備えることを特徴とする請求項９に記載の製品。
【請求項１１】
実行された場合に前記システムが、
第１のダイアログを確立するための第１の要求をセッション開始プロトコル・サーバーから前記デュアル・チャネル式無線装置向けの前記ユーザー・エージェント・サーバーへ前記データ・チャネル上で送信し、
前記セッション開始プロトコル・サーバーにより、前記第１のダイアログが確立されたという第１の応答を前記ユーザー・エージェント・サーバーから前記データ・チャネル上で受け取る
ことを可能とする命令をさらに備えることを特徴とする請求項９に記載の製品。
【請求項１２】
実行された場合に前記システムが、
前記デュアル・チャネル式無線装置向けの前記ユーザー・エージェント・サーバーにより、第１のダイアログを確立するための第１の要求をセッション開始プロトコル・サーバーから前記データ・チャネル上で受け取り、
前記第１のダイアログが確立されたという第１の応答を前記ユーザー・エージェント・サーバーから前記セッション開始プロトコル・サーバーへ前記データ・チャネル上で送信する
ことを可能とする命令をさらに備えることを特徴とする請求項９に記載の製品。
【請求項１３】
実行された場合に前記システムが、
第２のダイアログを確立するための第２の要求を前記デュアル・チャネル式無線装置向けの前記ユーザー・エージェント・クライアントからセッション開始プロトコル・サーバーへ前記データ・チャネル上で送信し、
前記ユーザー・エージェント・クライアントにより、前記第２のダイアログが確立されたという第２の応答を前記セッション開始プロトコル・サーバーから前記データ・チャネル上で受け取る
ことを可能とする命令をさらに備えることを特徴とする請求項９に記載の製品。
【請求項１４】
実行された場合に前記システムが、
ダイアログを確立するための第１の要求を前記デュアル・チャネル式無線装置向けの前記ユーザー・エージェント・クライアントからセッション開始プロトコル・サーバーへ送信し、
前記ユーザー・エージェント・クライアントにより、前記ダイアログが確立されたという第１の応答を前記セッション開始プロトコル・サーバーから受け取る
ことを可能とする命令をさらに備えることを特徴とする請求項９に記載の製品。
【請求項１５】
実行された場合に前記システムが、
前記セッションを確立するための第２の要求を前記デュアル・チャネル式無線装置向けの前記ユーザー・エージェント・クライアントからセッション開始プロトコル・サーバーへ送信し、
前記ユーザー・エージェント・クライアントにより、前記セッションが確立されたという第２の応答を前記セッション開始プロトコル・サーバーから受け取る
ことを可能とする命令をさらに備えることを特徴とする請求項９に記載の製品。
【手続補正２】
【補正対象書類名】明細書
【補正対象項目名】００１０
【補正方法】変更
【補正の内容】
【００１０】
図１の例示的な実施形態に示すように、通信システム１００は無線装置１１０を含むことができる。無線装置１１０は、拡張発呼モジュール（ＥＣＭ）１１２に通信可能に結合された複数の送受信機１１２−１−ｍを含むことができる。無線装置１１０を、無線共有型媒体１１４−１を介して無線装置１１６に通信可能に結合することができる。無線装置１１６を、有線通信媒体１１４−２を介してネットワーク１２０に通信可能に結合することができる。ネットワーク１２０はゲートウェイ１２２とサーバー１２４を含むことができる。ネットワーク１２０を、発呼端末１３０に通信可能に結合することができる。発呼端末１３０は発呼モジュール１３２を含むことができる。図１では有限個の要素を所与のトポロジで示してあるが、所与の１組の性能上または設計上の制約に応じて、所与の実装形態では異なるトポロジでそれより多いか少ない要素を含めてもよいことは理解されよう。本実施形態はこの文脈に限定されない。
【手続補正３】
【補正対象書類名】明細書
【補正対象項目名】００２１
【補正方法】変更
【補正の内容】
【００２１】
様々な実施形態では、これらおよび他の問題の解決を試みる。幾つかの実施形態では、無線装置１１０はＥＣＭ１１２を含むことができる。ＥＣＭ１１２により、企業ネットワーク（例えば、ネットワーク１２０）内のネイティブＳＩＰクライアントとして登録しＳＩＰのＶｏＩＰ呼を終了する機能が無線装置１１０に提供され、特別な企業インフラの必要性が軽減または排除される。この新しい解決策では、デュアル・チャネル付き無線装置１１０をＳＩＰの企業ネットワークに直接登録することができ、デュアル・チャネル付き無線装置１１０は、無線装置１１０内部でＢ２Ｂ技術を使用することによって知的なＳＩＰアプリケーションとして機能することができる。アナログ・インターフェイスは、企業インフラ内の特別なサーバーではなく無線装置１１０自体に埋め込まれたアプリケーション・プログラムによって企業インフラから隠蔽されているので、無線装置１１０はサーバー・インフラに何ら依存することなく全ての機能をサポートすることができる。
【手続補正４】
【補正対象書類名】明細書
【補正対象項目名】００３３
【補正方法】変更
【補正の内容】
【００３３】
携帯電話番号が選択されると、メッセージ３０６で示すように、サーバー１２４は、第１のダイアログを確立するための第１の要求を、送受信機１１４−１を介してデータ・チャネル上で無線装置１１０向けのＵＡＳに送信することができる。例えば、サーバー１２４はＳＩＰのｌＮＶＩＴＥ（アリス）メッセージを無線装置１１０に送信することができる。無線装置１１０は、第１のダイアログを確立するための第１の要求をサーバー１２４から受け取ることができる。例えば、無線装置１１０のＥＣＭ１１２のＵＡＳは、ＳＩＰのＩＮＶＩＴＥ（アリス）メッセージを受け取ることができる。ＳＩＰのＩＮＶＩＴＥ（アリス）メッセージに対する応答を生成するために、ＥＣＭ１１２のＵＡＣはサーバー１２４に連絡する。ＥＣＭｌ１２は、メッセージ３０８で示すように、第２のダイアログを確立するための第２の要求を生成し、その要求をＥＣＭ１１２向けのＵＡＣからサーバー１２４へ送受信機１１４−１を介してデータ・チャネル上で送信することができる。例えば、メッセージ３０８はＩＮＶＩＴＥ（＋１４２５７１１１１１１）メッセージを含むことができる。サーバー１２４はメッセージ３０８を受け取り、メッセージ３１０で示すように、メッセージ３０８で与えられた番号へのＳＩＰのＩＮＶＩＴＥ（＋１４２５７１１１１１１）メッセージをゲートウェイ１２２に送信することができる。ゲートウェイ１２２はメッセージ３１０を受け取り、メッセージ３１２で示すように、サーバー１２４への機能オファーで応答することができる。例えば、当該機能オファーはＳＤＰ（Ｓｅｓｓｉｏｎ  Ｄｅｓｃｒｉｐｔｉｏｎ  Ｐｒｏｔｏｃｏｌ）によって定義されたフォーマットと記述を有することができる。この場合、メッセージ３１２は「１８３  ＳＤＰ」メッセージを含むことができる。このように、機能情報をサーバー１２４とゲートウェイ１２２の間で交換し交渉することができる。